(57)【特許請求の範囲】
【請求項１】
トラック荷台部に装着可能な金属製コンテナであって、四隅の底部に設けられ該金属製コンテナを地面に起立させるための脚部を有する金属製コンテナと、
前記金属製コンテナを脱着するためのアーム機構と、
を有するトラックから、前記アーム機構により前記金属製コンテナを前記トラック荷台部から前記地面に設置する方法であって、
前記脚部の底面部を載置可能な載置面を有する金属製板部と、
前記金属製板部に設けられ、前記金属製板部を吊り下げて持ち運ぶための把持部と、
を備える地面保護装置を、前記脚部が前記地面に接触する前に、前記脚部が接触すると想定される位置に配置することを特徴とする方法。
【請求項２】
請求項１に記載の方法において、
前記地面保護装置は、前記載置面と反対側である前記金属製板部の裏面に設けられ、前記地面との間の摩擦係数が前記金属製板部よりも大きい滑り止め部材をさらに備えることを特徴とする方法。
【請求項３】
請求項１または請求項２に記載の方法において、
前記地面保護装置を、前記脚部のうちの前方の２つの脚部が前記地面に接する前に前記前方の２つの脚部が接触すると想定される位置に配置することを特徴とする方法。
【請求項４】
請求項１から請求項３のいずれか１項に記載の方法において、
前記金属製板部は、短手方向である縦の長さが１５ｃｍであり、長手方向である横の長さ１７ｃｍであり、厚みが５ｍｍであり、
前記把持部は、前記金属製板部の前記載置面から離れるように斜め上方に突出して設けられた略Ｕ字形状を有していることを特徴とする方法。
【発明の詳細な説明】
【技術分野】
【０００１】
本発明は、脱着式コンテナ搭載トラックのための地面保護装置に関する。
【背景技術】
【０００２】
従来、トラックキャブの後方に位置する荷台部に装着可能な金属製コンテナを脱着するためのアームロール機構を有するトラックが開発されている。例えば、産業廃棄物を運搬するトラックは、作業現場に到着後、荷台部から金属製コンテナを取り外して地面に設置して、産業廃棄物を収容するなどの作業を行っている。
【０００３】
本発明に関連する技術として、例えば、特許文献１には、側部で結合された相対向する車輪止めをキャスターの前後に置いて、キャスターの転動を妨げるキャスター用ストッパにおいて、前記車輪止めは、比較的柔軟な弾性合成樹脂製で、前後に間隔を置いた一対の支持片を備え、この支持片の相互間をわたり、その下端面が支持片の下端面と連続する縦方向のリブが複数設けられ、前記キャスターの移動方向の荷重に対してキャスターが置かれた面と大きな摩擦抵抗が生じることを特徴とするキャスター用ストッパが開示されている。
【先行技術文献】
【特許文献】
【０００４】
【特許文献１】特開２００４−１８２１７６号公報
【発明の概要】
【発明が解決しようとする課題】
【０００５】
産業廃棄物を運搬する脱着式コンテナ搭載トラックは、上記のように作業現場に到着後に金属製コンテナを地面に降ろして設置するが、金属製コンテナの脚部を地面に接触させる際に地面を傷つけてしまう虞がある。
【０００６】
本発明の目的は、脱着式コンテナ搭載トラックが金属製コンテナを地面に下す際に地面を傷つけることを防止することを可能とする地面保護装置を提供することである。
【課題を解決するための手段】
【０００７】
本発明に係る方法は、トラック荷台部に装着可能な金属製コンテナであって、四隅の底部に設けられ該金属製コンテナを地面に起立させるための脚部を有する金属製コンテナと、前記金属製コンテナを脱着するためのアーム機構と、を有するトラックから、前記アーム機構により前記金属製コンテナを前記トラック荷台部から前記地面に設置する方法であって、前記脚部の底面部を載置可能な載置面を有する金属製板部と、前記金属製板部に設けられ、前記金属製板部を吊り下げて持ち運ぶための把持部と、を備える地面保護装置を、前記脚部が前記地面に接触する前に、前記脚部が接触すると想定される位置に配置することを特徴とする。
【０００８】
また、本発明に係る方法において、前記地面保護装置は、前記載置面と反対側である前記金属製板部の裏面に設けられ、前記地面との間の摩擦係数が前記金属製板部よりも大きい滑り止め部材をさらに備えることが好ましい。
また、本発明に係る方法において、前記地面保護装置を、前記脚部のうちの前方の２つの脚部が前記地面に接する前に前記前方の２つの脚部が接触すると想定される位置に配置することが好ましい。
また、本発明に係る方法において、
前記金属製板部は、短手方向である縦の長さが１５ｃｍであり、長手方向である横の長さ１７ｃｍであり、厚みが５ｍｍであり、
前記把持部は、前記金属製板部の前記載置面から離れるように斜め上方に突出して設けられた略Ｕ字形状を有していることが好ましい。
【発明の効果】
【０００９】
本発明によれば、脱着式コンテナ搭載トラックが金属製コンテナを地面に降ろす際に地面を傷つけないようにすることが出来る。
【図面の簡単な説明】
【００１０】
【図１】本発明に係る実施形態において、脱着式コンテナ搭載トラックのための地面保護装置を示す図である。
【図２】本発明に係る実施形態において、脱着式コンテナ搭載トラックのための地面保護装置を用いて地面を傷つけないように金属製コンテナを降ろしている様子を示す図である。
【発明を実施するための形態】
【００１１】
以下に、本発明に係る実施の形態について添付図面を参照しながら詳細に説明する。以下では、全ての図面において同様の要素には同一の符号を付し、重複する説明を省略する。また、本文中の説明においては、必要に応じそれ以前に述べた符号を用いるものとする。
【００１２】
図１は、脱着式コンテナ搭載トラックのための地面保護装置１０を示す図である。図１（ａ）は、脱着式コンテナ搭載トラックのための地面保護装置１０の斜視図であり、図１（ｂ）は、脱着式コンテナ搭載トラックのための地面保護装置１０の底面図である。
【００１３】
図２は、脱着式コンテナ搭載トラックのための地面保護装置１０を用いて地面３を傷つけないように金属製コンテナ８を降ろしている様子を示す図である。
【００１４】
脱着式コンテナ搭載トラックのための地面保護装置１０は、トラック荷台部４に装着可能な金属製コンテナ８を取り外して地面３に設置可能なように、金属製コンテナ８を脱着するためのアームロール機構６を有するトラック１に用いられる装置である。脱着式コンテナ搭載トラックのための地面保護装置１０は、金属製板部１２と、把持部１４と、滑り止め部材１６とを備えている。
【００１５】
トラック１は、産業廃棄物を金属製コンテナ８に積載して運搬する車両である。金属製コンテナ８は、所定の容量の産業廃棄物を収容可能な収納空間を有する箱型形状を有している。金属製コンテナ８は、適度な強度を有する材質、例えば、鉄などを用いて構成することが出来る。
【００１６】
金属製コンテナ８は、箱の四隅の底部に設けられた脚部７，９を備えている。ここでは、後輪側に配置される２つの脚部９は、図２に示されるように、金属製コンテナ８が地面に降ろされる際に先に地面３に接触する脚であり、回転可能な車輪として機能する。
【００１７】
また、前輪側に配置される２つの脚部７は、四角柱形状を有する金属製の脚であり、図２に示されるように、後輪側の脚部９が地面３に接着した後、トラック１が前に動くことで、金属製コンテナ８の傾斜が緩やかになり、前輪側の脚部７が地面３に近づいていく。
【００１８】
アームロール機構６は、自力で金属製コンテナ８を脱着することが出来る。より具体的には、大きなアーム部の先端にあるフック（不図示）を使って金属製コンテナ８の端を持ち上げて、金属製コンテナ８をトラック荷台部４から地面３に降ろすようにアーム部が稼働する。
【００１９】
金属製板部１２は、金属製コンテナ８の四隅の底部に設けられた脚部７の底面部を載置可能な載置面１２ａを有する板状部材を含む。例えば、載置面１２ａの長さについて縦の長さを１５ｃｍとし、横の長さを１７ｃｍとすることが出来るが、もちろん、脚部７の大きさに対応して適宜変更することが出来る。
【００２０】
金属製板部１２は、載置面１２ａを有し両端に壁部を有する略凹形状を有している。壁部の高さ（厚み）は、例えば３ｃｍに設定し、壁部の幅を例えば２ｃｍに設定することが出来る。
【００２１】
金属製板部１２の載置面１２ａが位置する板部分の厚みは、適度な薄さに設定することが好ましく、例えば、５ｍｍに設定することが出来る。
【００２２】
滑り止め部材１６は、載置面１２と反対側である金属製板部１２の裏面に設けられ、地面３との間の摩擦係数が金属製板部１２よりも大きい部材を用いることが好ましく、例えば、ゴム部材を用いることが好ましい。
【００２３】
また、滑り止め部材１６は、金属製板部１２と、ほぼ同じ大きさに設定することが好ましく、例えば、縦の長さを１５ｃｍとし、横の長さを２１ｃｍとし、厚みを５ｍｍに設定することが出来る。
【００２４】
滑り止め部材１６は、図１（ｂ）に示されるように、波型の複数の溝部を形成してもよく、摩擦力を高めるように凹凸形状を設けることが好ましい。
【００２５】
把持部１４は、金属製板部１２に設けられ、金属製板部１２を吊り下げて持ち運ぶための部材である。把持部１４は、金属製板部１２の壁部及び載置面１２から離れるように斜め上方に突出して設けられた略Ｕ字形状の取っ手である。
【００２６】
把持部１４は、手で握りやすい程度の太さ（例えば、直径１ｃｍとする）に設定することが好ましく、適度な強度を有する材質、例えば、鉄を用いて構成することが出来る。把持部１４は、金属製板部１２と一体的に形成してもよいが、別部材で成型した場合には、例えば、溶接などにより接合することが好ましい。
【００２７】
続いて、上記構成の脱着式コンテナ搭載トラックのための地面保護装置１０の作用について説明する。脱着式コンテナ搭載トラックのための地面保護装置１０は、金属製コンテナ８を脱着するためのアームロール機構６を有するトラック１が、トラック荷台部４に装着可能な金属製コンテナ８を取り外して地面３に設置する際に用いられる。
【００２８】
トラック１がアームロール機構６を用いて金属製コンテナ８を地面３に載置する際に、図２に示されるように、最初に後輪側の脚部９を地面３に設置するが、この脚部９は回転可能な車輪を含んで構成されているため、地面３を傷つけることなく接触させることができる。
【００２９】
その後、トラック１を前方へ移動させると、金属製コンテナ８の傾斜が緩やかになり、前輪側の脚部７も地面３に近づいてくるが、四角柱形状を有する金属製の脚部７をそのまま地面３に接触させると、地面３を傷つけてしまう虞がある。
【００３０】
そこで、２つの脱着式コンテナ搭載トラックのための地面保護装置１０を準備し、脚部７が接触する前に脚部７が接触すると想定される位置に、２つの脱着式コンテナ搭載トラックのための地面保護装置１０を配置する。
【００３１】
そして、そのまま金属製コンテナ８を降ろしていくと、図１（ａ）及び図２に示されるように、脚部７を載置面１２ａに載置することが出来る。金属製コンテナ８は、金属で構成されており、相当な重量を有しているため、脚部７が接触した際の衝撃は大きいが、脚部７が接触する部分は載置面１２ａであり、載置面１２ａが衝撃を吸収するため、地面３を傷つけることはない。
【００３２】
また、脱着式コンテナ搭載トラックのための地面保護装置１０によれば、金属製板部１２の裏面に滑り止め部材１６が設けられているため、脚部７を載置面１２ａに接触させた際の横滑りを防ぐことができるという利点がある。このように、脱着式コンテナ搭載トラックのための地面保護装置１０によれば、産業廃棄物を収集するトラック１が現場に到着して金属製コンテナ８を降ろす際に地面３を傷つけることなく、金属製コンテナ８の設置作業を行うことが出来る。
【００３３】
なお、ここでは、金属製コンテナ８の脚部７，９のうち、後輪側の脚部９は車輪部を含むものとして説明したが、例えば、脚部７，９が双方とも四角柱形状の脚である場合に、４つの脱着式コンテナ搭載トラックのための地面保護装置１０を使用することで、地面３を傷つけることなく、金属製コンテナ８の設置作業を行うことが出来る。
【符号の説明】
【００３４】
１  トラック、３  地面、４  トラック荷台部、６  アームロール機構、７，９   脚部、８  金属製コンテナ、９  脚部、１０  地面保護装置、１２  金属製板部、１２ａ  載置面、１４  把持部、１６  滑り止め部材。  
【要約】
【課題】脱着式コンテナ搭載トラックが金属製コンテナを地面に下す際に地面を傷つけることを防止することを可能とする地面保護装置を提供することである
【解決手段】脱着式コンテナ搭載トラックのための地面保護装置１０は、トラック荷台部４に装着可能な金属製コンテナ８を取り外して地面に設置可能なように、金属製コンテナ８を脱着するためのアームロール機構６を有するトラック１に用いられる脱着式コンテナ搭載トラックのための地面保護装置１０であって、金属製コンテナ８の四隅の底部に設けられ金属製コンテナ８を地面３に起立させるための脚部７の底面部を載置可能な載置面１２ａを有する金属製板部１２と、金属製板部１２に設けられ、金属製板部１２を吊り下げて持ち運ぶための把持部１４と、を備えることを特徴とする。
【選択図】図１【図１】
0006678803.tif 000002
【図２】
0006678803.tif 000003